(57)【要約】【課題】無線機能付きの記録メディアから転送する画像ファイルを制限できるようにする。【解決手段】まず、第１シャッタスイッチがＯＮにされると、中央制御部１０３は、無線ＬＡＮ機能付きの記録メディア１０６の転送機能を無効にし、撮影により画像ファイルが生成されると、その画像ファイルを記録メディア１０６に記録する。そして、例えば連写撮影モードである場合にはベストショット画像以外の画像ファイルに転送禁止フラグをＯＮに設定し、記録メディア１０６の転送機能の無効を解除する。【選択図】図１
2014158082.tif 000002
【特許請求の範囲】
【請求項１】
情報処理装置と通信して画像ファイルを転送する機能を備えた記録媒体を装着することが可能な撮像装置であって、
連続した撮影により被写体を撮像して複数の前記画像ファイルを生成する撮像手段と、
前記撮影が行われる前に前記記録媒体の転送機能を無効にするよう制御する転送制御手段と、
前記撮像手段により生成された複数の画像ファイルを、前記転送制御手段により転送機能が無効にされた記録媒体に記録する記録手段とを有し、
前記転送制御手段は、前記記録手段により記録された複数の画像ファイルの中から所定の条件を満たす画像ファイルに転送禁止のフラグを付与し、前記転送禁止のフラグを付与した後に前記記録媒体の転送機能を有効にするよう制御することを特徴とする撮像装置。
【請求項２】
前記所定の条件をユーザの操作に応じて設定する設定手段をさらに有することを特徴とする請求項１に記載の撮像装置。
【請求項３】
前記所定の条件は、ベストショット画像に該当しない画像ファイルであることを特徴とする請求項１又は２に記載の撮像装置。
【請求項４】
前記画像ファイルを転送する機能を備えた記録媒体が装着されているか否かを判断する判断手段をさらに有し、
前記転送制御手段は、前記判断手段により前記画像ファイルを転送する機能を備えた記録媒体が装着されていると判断された場合に、前記記録媒体の転送機能を無効にするよう制御することを特徴とする請求項１から３の何れか１項に記載の撮像装置。
【請求項５】
情報処理装置と通信して画像ファイルを転送する機能を備えた記録媒体を装着することが可能な撮像装置の制御方法であって、
連続した撮影により被写体を撮像して複数の前記画像ファイルを生成する撮像工程と、
前記撮影が行われる前に前記記録媒体の転送機能を無効にするよう制御する転送制御工程と、
前記撮像工程において生成された複数の画像ファイルを、前記転送制御工程において転送機能が無効にされた記録媒体に記録する記録工程とを有し、
前記転送制御工程においては、前記記録工程において記録された複数の画像ファイルの中から所定の条件を満たす画像ファイルに転送禁止のフラグを付与し、前記転送禁止のフラグを付与した後に前記記録媒体の転送機能を有効にするよう制御することを特徴とする撮像装置の制御方法。
【請求項６】
情報処理装置と通信して画像ファイルを転送する機能を備えた記録媒体を装着することが可能な撮像装置を制御するためのプログラムであって、
連続した撮影により被写体を撮像して複数の前記画像ファイルを生成する撮像工程と、
前記撮影が行われる前に前記記録媒体の転送機能を無効にするよう制御する転送制御工程と、
前記撮像工程において生成された複数の画像ファイルを、前記転送制御工程において転送機能が無効にされた記録媒体に記録する記録工程とをコンピュータに実行させ、
前記転送制御工程においては、前記記録工程において記録された複数の画像ファイルの中から所定の条件を満たす画像ファイルに転送禁止のフラグを付与し、前記転送禁止のフラグを付与した後に前記記録媒体の転送機能を有効にするよう制御することを特徴とするプログラム。
【発明の詳細な説明】
【技術分野】
【０００１】
本発明は、特に、無線ＬＡＮ機能を搭載した記録メディアに画像ファイルを記録するために用いて好適な撮像装置、撮像装置の制御方法及びプログラムに関する。
【背景技術】
【０００２】
デジタルスチルカメラ（以下、デジタルカメラという）で撮影された画像の画像ファイルは、一般的に、保管することを目的としてパーソナルコンピュータ（以下、ＰＣという）に保存される。例えば、デジタルカメラに挿入されていた記録メディアをＰＣに接続して画像ファイルを転送することによって画像ファイルを保管することができる。
【０００３】
また、近年では、無線ＬＡＮ機能を内蔵したデジタルカメラや、無線ＬＡＮ機能を搭載した記録メディアが登場している。これらは、ＤＣＦ規格に準拠したディレクトリに所定の形式で画像ファイルが記録されたとき、その画像ファイルを自動的に転送する。転送先としてＰＣやネットワークストレージに設定することにより、デジタルカメラで撮影した後に、画像ファイルをすぐにＰＣに転送することも可能である。
【０００４】
デジタルカメラで撮影した画像ファイルを転送する技術としては、撮影画像の条件によって転送方法を異なるようにした技術が開示されている（例えば、特許文献１参照）。この方法では、連写撮影画像の場合は、代表画像及びファイル名リストだけをＰＣに送信することにより効率良く転送を実現している。また、特許文献２にも、デジタルカメラから画像ファイルを転送する際に、記録メディアに記録された画像ファイルを外部機器に転送するファイル送受信装置が開示されている。さらに、特許文献３には、無線ＬＡＮ機能を内蔵したデジタルカメラにおいて、撮影時に認識した被写体の情報をもとに転送先情報を対応付けて管理し、被写体から送信先を判断して画像データを転送する方法が開示されている。
【先行技術文献】
【特許文献】
【０００５】
【特許文献１】特開２００８−５１５４号公報
【特許文献２】特許第２９２１１５６号公報
【特許文献３】特開２００９−１５２６８９号公報
【発明の概要】
【発明が解決しようとする課題】
【０００６】
画像ファイルを転送する際に、ユーザが所望する画像ファイルのみを選択的に転送したいと考える場合がある。従来技術では、無線ＬＡＮ機能を搭載した記録メディアが装着されている場合に、撮影により得られた画像ファイルをユーザが所望する転送先に自動転送できるが、画像ファイルを保存した後に、どの画像ファイルを転送するかを制御することができない。したがって、無線機能付きの記録メディアが装着されると、保存された画像ファイルがすべて自動的に転送されてしまう。
【０００７】
本発明は前述の問題点に鑑み、無線機能付きの記録メディアから転送する画像ファイルを制限できるようにすることを目的としている。
【課題を解決するための手段】
【０００８】
本発明の撮像装置は、情報処理装置と通信して画像ファイルを転送する機能を備えた記録媒体を装着することが可能な撮像装置であって、連続した撮影により被写体を撮像して複数の前記画像ファイルを生成する撮像手段と、前記撮影が行われる前に前記記録媒体の転送機能を無効にするよう制御する転送制御手段と、前記撮像手段により生成された複数の画像ファイルを、前記転送制御手段により転送機能が無効にされた記録媒体に記録する記録手段とを有し、前記転送制御手段は、前記記録手段により記録された複数の画像ファイルの中から所定の条件を満たす画像ファイルに転送禁止のフラグを付与し、前記転送禁止のフラグを付与した後に前記記録媒体の転送機能を有効にするよう制御することを特徴とする。
【発明の効果】
【０００９】
本発明によれば、無線機能付き記録メディアが挿入され、画像ファイルを当該記録媒体に記録する場合に、転送する画像ファイルを制限することができる。
【図面の簡単な説明】
【００１０】
【図１】本発明の実施形態に係るデジタルカメラの構成例を示すブロック図である。
【図２】本発明の実施形態に係る無線ＬＡＮ機能を搭載した記録メディアの内部構成例を示すブロック図である。
【図３】通常撮影モードにおけるデジタルカメラの処理手順の一例を示すフローチャートである。
【図４】第１の実施形態において、連写撮影モードにおけるデジタルカメラの処理手順の一例を示すフローチャートである。
【図５】第１の実施形態において、ベストショット画像選別機能を備えていない場合の連写撮影モードにおけるデジタルカメラの処理手順の一例を示すフローチャートである。
【図６】第２の実施形態において、ショートムービー撮影モードにおけるデジタルカメラの処理手順の一例を示すフローチャートである。
【図７】第２の実施形態において、ショートムービー撮影モードで１日の撮影回数分作成した動画ファイル群を結合する処理手順の一例を示すフローチャートである。
【図８】第２の実施形態におけるショートムービー動画一覧リストの例を示す図である。
【図９】第３の実施形態において、表示部に表示される設定項目の一例を示す図である。
【図１０】第３の実施形態において、顔認識撮影モードにおけるデジタルカメラの処理手順の一例を示すフローチャートである。
【図１１】第３の実施形態において、顔認識撮影モードで複数人の顔データを認識した場合のデジタルカメラの処理手順の一例を示すフローチャートである。
【図１２】第４の実施形態において、パノラマ撮影モードにおけるデジタルカメラの処理手順の一例を示すフローチャートである。
【図１３】図１２のステップＳ１２０９及びＳ１０１１の詳細な処理手順の一例を示すフローチャートである。
【図１４】第４の実施形態において、パノラマ撮影モードで表示部に表示される画面の一例を示す図である。
【図１５】図１２のステップＳ１２０９及びＳ１０１１の詳細な処理手順の他の一例を示すフローチャートである。
【発明を実施するための形態】
【００１１】
以下、本発明の実施形態について、図面を参照しながら説明する。
（第１の実施形態）
＜デジタルカメラの構成＞
図１は、本実施形態に係るデジタルカメラ１００の構成例を示すブロック図である。
図１において、デジタルカメラ１００は、光学系１０１と、撮像素子１０２と、中央制御部１０３と、ＲＡＭ１０４と、フラッシュメモリ１０５と、記録メディア１０６と、表示部１０７と、操作部１０８と、通信部１０９とを備えている。
【００１２】
光学系１０１は、レンズ、シャッタ、絞りから構成されており、被写体からの光を適切な量とタイミングとで撮像素子１０２に結像させる。撮像素子１０２は、光学系１０１を通って結像した光を画像ファイルに変換する。中央制御部１０３は、入力された信号やプログラムに従って、各種の演算や、デジタルカメラ１００を構成する各部分の制御を行う。具体的には、撮像制御、表示制御、記録制御、通信制御などを行う。
【００１３】
ＲＡＭ１０４は、一時的なデータを記録し、中央制御部１０３の作業用に使用される。フラッシュメモリ１０５は、デジタルカメラ１００を制御するためのプログラム（ファームウェア）や各種の設定情報を記録する。記録メディア１０６は、撮影により生成された画像ファイルなどを記録する記録媒体である。なお、本実施形態における記録メディア１０６は、着脱可能ないわゆるメモリカードであり、パーソナルコンピュータ（以下、ＰＣ）などに装着して画像ファイルを読み出すことが可能である。つまり、デジタルカメラ１００は記録メディア１０６へのアクセス手段を有し、記録メディア１０６へ画像ファイルの読み書きを行うことができればよい。
【００１４】
表示部１０７は、撮影時のビューファインダー画像の表示、撮影画像の表示、対話的な操作のための文字表示などを行う。なお、表示部１０７はデジタルカメラ１００が備える必要はなく、デジタルカメラ１００は表示部１０７の表示を制御する表示制御機能を有していればよい。操作部１０８は、使用者の操作を受け付けるためのものである。操作部１０８は例えばボタンやレバー、タッチパネルなどを用いることが可能である。
【００１５】
通信部１０９は、外部装置と接続して制御コマンドやデータの送受信を行う。接続を確立し、データ通信するためのプロトコルとしては、例えばＰＴＰ（Ｐｉｃｔｕｒｅ  Ｔｒａｎｓｆｅｒ  Ｐｒｏｔｏｃｏｌ）が用いられる。なお、通信部１０９は、例えばＵＳＢ（Ｕｎｉｖｅｒｓａｌ  Ｓｅｒｉａｌ  Ｂｕｓ）ケーブルなどの有線接続により通信を行ってもよい。また、無線ＬＡＮなどの無線接続により通信を行ってもよい。また、外部装置と直接接続してもよいし、サーバを経由したりインターネットなどのネットワークを介して外部装置と接続したりしてもよい。
【００１６】
なお、デジタルカメラ１００の制御は、１つのハードウェアで行ってもよいし、複数のハードウェアが処理を分担しながら、デジタルカメラ１００における処理を実行する手段として機能してもよい。
【００１７】
＜無線ＬＡＮ機能付き記録メディアの構成＞
ここで、無線ＬＡＮ機能を搭載した記録メディアの詳細について、図２を参照しながら説明する。図２において、無線ＬＡＮ機能を搭載した記録メディア７０は、接続コネクタ７６、マイコン７７、無線通信回路部７８、及びメモリ回路部７９を構成要素としている。
【００１８】
接続コネクタ７６は、デジタルカメラ１００、あるいは、その他の情報処理装置等との接続を行い、データの受け渡しを行う接続インターフェースである。この接続コネクタ７６によって記録メディア７０とデジタルカメラ１００とが機械的に結合されるとともに、電気的にも接続される。
【００１９】
記録メディア７０が接続コネクタ７６を介してデジタルカメラ１００に接続されると、記録メディア７０は、電源ラインを介してデジタルカメラ１００から電力の供給を受ける。そして図示しないリセット回路により記録メディア７０は初期化されて動作を開始し、バスラインを介してデジタルカメラ１００と通信を行う。
【００２０】
無線通信回路部７８は、無線によって同等の無線通信機能を有する電子機器、あるいは、その他の情報処理装置等と、データの送信を行う転送機能を備えている。すなわち、無線通信回路部７８は、他の電子機器との間でデータの送受信を行う。この無線通信回路部７８は、例えば無線ＬＡＮなどの電波による無線通信を行う。また、無線通信は、赤外線を用いてもよい。
【００２１】
メモリ回路部７９は、ＥＥＰＲＯＭやフラッシュ型ＥＥＰＲＯＭなどの書き換え可能な不揮発性メモリ素子で構成され、接続コネクタ７６で接続された電子機器から供給されるデータを記録する機能を備える。マイコン７７は、内部にメモリを備え、このメモリに予め格納された制御手順により、接続コネクタ７６を介して接続された電子機器との通信の制御、無線通信回路部７８の制御、メモリ回路部７９の制御を行う機能を備える。
【００２２】
本実施形態では、撮影によって得られた画像ファイルは、接続コネクタ７６を介してメモリ回路部７９に保存される。その後、マイコン７７が、メモリ回路部７９に画像データが保存されたことを検知し、メモリ内に予め格納されている転送先に、無線通信回路部７８を介して画像ファイルを転送する。メモリ内に予め格納されている転送先とは、ユーザが事前に自身のＰＣなどから設定した転送先であり、ユーザ所有のＰＣや、Ｗｅｂサーバなどを指す。
【００２３】
また、ユーザにより、デジタルカメラ１００側から操作部１０８を介して有効／無効設定を行うことによって、記録メディア７０からの転送を制御することが可能である。この場合、有効／無効設定情報が、接続コネクタ７６を介してメモリ回路部７９に保存される。そして、マイコン７７が、メモリ回路部７９に保存されている有効／無効設定情報を読み出し、設定が有効の場合のみ、無線通信回路部７８から画像ファイルを送受信することが可能となる。
【００２４】
さらに本実施形態では、撮影によって得られた画像ファイルにデジタルカメラ１００側から転送禁止フラグを設定することが可能である。ここで、転送禁止フラグとは、画像ファイルがメモリ回路部７９に保存されてからデジタルカメラ１００側が設定できるものであり、アーカイブビットなどといったファイル属性を使用するものとする。転送禁止フラグが設定された画像ファイルがメモリ回路部７９に保存されると、マイコン７７が、画像ファイルの転送禁止フラグの状態を読み出す。そして、読み出した結果、転送禁止フラグがＯＦＦに設定されている場合のみ、無線通信回路部７８を介して、画像ファイルをメモリ内に予め格納されている転送先に転送する。
【００２５】
＜通常撮影モードでの処理＞
次に、通常撮影モードで撮影する処理について説明する。
【００２６】
図３は、通常撮影モードにおけるデジタルカメラ１００の処理手順の一例を示すフローチャートである。なお、図３に示す各処理は、中央制御部１０３の制御により行われる。
まず、ユーザの操作により、操作部１０８のモード切替スイッチが通常撮影モードに切り替えられることによって処理を開始する。そして、ステップＳ３０１において、中央制御部１０３の制御により通常撮影モードに遷移する。その後、ステップＳ３０２に進み、操作部１０８のシャッタボタンが半押し状態（第１シャッタスイッチがＯＮ）となるまで待機する。そして、操作部１０８のシャッタボタンが半押し状態で押下されると、焦点距離の調整など、撮影準備に係る処理を行い、ステップＳ３０３に進む。
【００２７】
ステップＳ３０３においては、通常撮影を行う。具体的には、操作部１０８のシャッタボタンが全押し状態（第２シャッタスイッチがＯＮ）となることにより、光学系１０１で撮影に関わる露光処理、現像処理を行って画像データを取得する。そして、ステップＳ３０４において、ステップＳ３０３で取得した画像データに撮影情報などの付加情報を付加して、記録メディア１０６に画像ファイルとして保存する。
【００２８】
＜連写撮影時の処理＞
次に、図２に示した無線ＬＡＮ機能付き記録メディア７０が装着されている時に連写撮影を行う際のデジタルカメラ１００の処理について説明する。
【００２９】
図４は、連写撮影モードにおけるデジタルカメラ１００の処理手順の一例を示すフローチャートである。なお、図４に示す各処理は、中央制御部１０３の制御により行われる。
まず、ユーザの操作により、操作部１０８のモード切替スイッチが連写撮影モードに切り替えられることによって処理を開始する。そして、ステップＳ４０１において、中央制御部１０３の制御により連写撮影モードに遷移する。そして、ステップＳ４０２において、操作部１０８のシャッタボタンが半押し状態となるまで待機する。そして、操作部１０８のシャッタボタンが半押し状態で押下されると、通常撮影と同様に、焦点距離の調整など、撮影準備に係る処理を行い、ステップＳ４０３に進む。
【００３０】
ステップＳ４０３においては、デジタルカメラ１００に装着された記録メディア１０６が無線ＬＡＮ機能付き記録メディアであるか否かを判断する。この処理は、中央制御部１０３が記録メディア１０６にアクセスし、所定の領域を参照することにより判断する。この判断の結果、無線ＬＡＮ機能付きの記録メディアが装着されている場合は、ステップＳ４０４に進み、そうでない場合はステップＳ４１３に進む。
【００３１】
ステップＳ４０４においては、中央制御部１０３が、装着されている無線ＬＡＮ付きの記録メディア１０６にアクセスし、通信設定を確認する。この通信設定とは、記録メディア１０６の無線ＬＡＮ機能が有効か無効かを示す設定である。本実施形態では、この無線ＬＡＮ機能が無効に設定されていると、記録メディア１０６は電波を出さなくなる。また、中央制御部１０３は、記録メディア１０６に対して、現在の通信状態を確認する処理も行う。この通信状態とは、例えばアクセスポイントとの接続状態や、現在転送中の画像ファイル、及び動画ファイルが存在するかどうかといった情報である。その後、ステップＳ４０５に進む。
【００３２】
次に、ステップＳ４０５においては、通信設定を確認した結果、記録メディア１０６の通信設定が有効であるか否かを判断する。この判断の結果、通信設定が有効である場合はステップＳ４０６に進み、通信設定が無効である場合はステップＳ４０８に進む。
【００３３】
ステップＳ４０６においては、中央制御部１０３は、記録メディア１０６に対して、通信設定の無効を指示する。これにより、指示を受けた無線ＬＡＮ機能付きの記録メディア１０６は、通信機能を無効にする機能制御処理を行う。このように、中央制御部１０３では、記録メディア１０６の通信設定を有効または無効に指示することにより、画像ファイル群の転送制御を行うことが可能である。その後、ステップＳ４０７に進む。
【００３４】
次に、ステップＳ４０７において、中央制御部１０３は、記録メディア１０６の通信設定の無効処理が完了するまで待機する。そして、通信設定の無効処理が完了すると、次のステップＳ４０８に進む。
【００３５】
次に、ステップＳ４０８において、連写撮影を行う。具体的には、操作部１０８のシャッタボタンが全押し状態となることにより、中央制御部１０３で撮影に関わる露光処理、現像処理を行って複数の画像データを取得する。その後、ステップＳ４０９に進む。
【００３６】
次に、ステップＳ４０９においては、ステップＳ４０８で実施した連写撮影によって取得した画像データ群にそれぞれ撮影情報などの付加情報を付加して、記録メディア１０６に画像ファイル群として保存する。その後、ステップＳ４１０に進む。
【００３７】
次に、ステップＳ４１０において、ステップＳ４０９において記録メディア１０６に保存した画像ファイル群の中から、１枚もしくは複数のベストショット画像を選定する。そして、ステップＳ４１１において、ステップＳ４１０で選定したベストショット画像に係る画像ファイル以外の画像ファイル群に対して、それぞれ転送禁止フラグをＯＮに設定する。その後、ステップＳ４１２に進む。
【００３８】
次に、ステップＳ４１２において、中央制御部１０３は、記録メディア１０６に対して通信設定の有効を指示する。そして、指示を受けた無線ＬＡＮ機能付きの記録メディア１０６は、通信機能を有効にする機能制御処理を行う。これによって、無線ＬＡＮ機能付きの記録メディア１０６に保存されている画像ファイル、動画ファイルの転送が可能となる。
【００３９】
一方、ステップＳ４１３、Ｓ４１４の処理は、それぞれステップＳ４０８、Ｓ４０９と同様である。
【００４０】
以上のように本実施形態によれば、ベストショット画像以外の画像ファイル群は、転送禁止フラグがＯＮに付与されているため、無線ＬＡＮ機能付きの記録メディアに保存されて通信設定が有効になっても転送されない。一方で、連写撮影モードによって取得したベストショット画像に係る画像ファイルは、通信設定が有効になると転送される。
【００４１】
また、連写撮影前に連写撮影モードで連続撮影された場合、あらかじめデジタルカメラ１００の操作部１０８より、例えば画像ファイル群すべてを転送するか、ベストショット画像に係る画像ファイルだけを転送するかを設定することが可能である。このように、連写画像の転送条件を任意に切り替えることもできる。
【００４２】
＜ベストショット画像選別機能を備えていない場合の連写撮影時の処理＞
図４に示した例では、ベストショット画像選別機能を備えていることを前提に連写撮影時のデジタルカメラ１００での処理について説明した。しかしながら、ベストショット画像選別機能がない機種も存在する。そこで、このような場合に、すべての画像ファイル群が転送されてしまうことを防止するための処理について説明する。
【００４３】
図５は、ベストショット画像選別機能を備えていない場合の連写撮影モードにおけるデジタルカメラ１００の処理手順の一例を示すフローチャートである。なお、図５に示す各処理は、中央制御部１０３の制御により行われる。
ステップＳ５０１からステップＳ５０９の処理は、それぞれ図４のステップＳ４０１からステップＳ４０９と同様である。ステップＳ５１０においては、ステップＳ５０９で保存したすべての画像ファイル群に対して転送禁止フラグをＯＮに設定する。その後、ステップＳ５１１に進む。ステップＳ５１１からステップＳ５１３の処理は、それぞれ図４のステップＳ４１２からステップＳ４１４と同様である。
【００４４】
以上により、ベストショット画像選別機能を備えていないデジタルカメラに無線ＬＡＮ機能付きの記録メディアを装着した場合は、連写撮影モードによって取得したすべての画像ファイル群に転送禁止フラグがＯＮに設定される。このため、無線ＬＡＮ機能付き記録メディアに保存されて通信設定が有効になっても転送されないようにすることができる。
【００４５】
（第２の実施形態）
第１の実施形態では、連写撮影モードにおける処理について説明した。本実施形態では、無線ＬＡＮ機能付きの記録メディアが装着されている時にショートムービー撮影モードで行われる処理について説明する。なお、本実施形態に係るデジタルカメラ、及び無線ＬＡＮ機能付き記録メディアの構成については、それぞれ図１、図２と同様であるため、説明は省略する。また、通常撮影モードの処理手順についても図３と同様であるため、説明を省略する。
【００４６】
ここで、ショートムービー撮影とは、１度の動画撮影につき例えば４秒間分の動画ファイルを作成し、１日で作成した撮影回数分の動画ファイル群を翌日以降にデジタルカメラを起動する時に結合して１つの動画ファイルとして作成する機能である。結合後の動画ファイルは、１日のダイジェストとして再生することを目的として使用される。ショートムービー撮影を行うと、結合前の撮影回数分の動画ファイル群（以下、動画ファイル群という）と、結合後の動画ファイル（以下、結合動画ファイルという）との２種類のファイルが作成される。
【００４７】
引き続き、ショートムービー撮影モード時にデジタルカメラ１００において行われる処理について説明する。
図６は、ショートムービー撮影モードにおけるデジタルカメラ１００の処理手順の一例を示すフローチャートである。なお、図６に示す各処理は、中央制御部１０３の制御により行われる。
まず、ユーザの操作により操作部１０８のモード切替スイッチがショートムービー撮影モードに切り替えられることによって処理を開始する。そして、ステップＳ６０１において、中央制御部１０３の制御によりショートムービー撮影モードに遷移する。その後、ステップＳ６０２に進む。ステップＳ６０２からステップＳ６０７までの処理は、それぞれ図４のステップＳ４０２からステップＳ４０７までの処理と同様である。
【００４８】
次に、ステップＳ６０８において、ショートムービーの撮影を行う。具体的には、操作部１０８のシャッタボタンが全押し状態となることにより、中央制御部１０３で撮影に関わる露光処理、現像処理を行って４秒間分の動画データを取得する。そして、ステップＳ６０９において、ステップＳ６０８で実施したショートムービー撮影によって取得した動画データに撮影情報などの付加情報を付加して記録メディア１０６に動画ファイルとして保存する。その後、ステップＳ６１０に進む。
【００４９】
次に、ステップＳ６１０において、ステップＳ６０９で保存した動画ファイルの転送禁止フラグをＯＮに設定する。そして、ステップＳ６１１において、中央制御部１０３は、記録メディア１０６に対して、通信設定の有効を指示する。そして、指示を受けた無線ＬＡＮ機能付きの記録メディア１０６は、通信機能を有効にする機能制御処理を行う。これによって、記録メディア１０６に保存されている転送禁止フラグがＯＮでない動画ファイルの転送が可能となる。その後、ステップＳ６１４に進む。なお、ステップＳ６１２及びＳ６１３はそれぞれ、ステップＳ６０８及びＳ６０９と同様である。
【００５０】
ステップＳ６１４においては、ショートムービー撮影によって取得した動画ファイルのリスト（以下、ショートムービー動画一覧リストという）が存在するか否かを判断する。ここで、ショートムービー動画一覧リストとは、図８に示すようなショートムービー撮影モードによって作成された動画ファイルの一覧である。ショートムービー動画一覧リスト内には、それぞれの動画ファイルのファイルパス、撮影日時、及び結合処理状態の３つのパラメータが記録される。この結合処理状態とは、動画ファイルが結合動画ファイルとして結合済みであるか否かを「済」もしくは「未」で表すものである。ショートムービー動画一覧リストの初期状態としては、結合処理状態のパラメータは、すべて「未」と設定されている。
【００５１】
なお、ショートムービー動画一覧リストはデジタルカメラ１００のＲＡＭ１０４で管理されているものとする。ステップＳ６１４の判断の結果、ショートムービー動画一覧リストがすでに存在する場合はステップＳ６１６に進み、ショートムービー動画一覧リストが存在しない場合はステップＳ６１５に進む。
【００５２】
ステップＳ６１５においては、ショートムービー動画一覧リストを新規作成する。その後、ステップＳ６１６に進む。ステップＳ６１６においては、すでに存在するショートムービー動画一覧リストに、ステップＳ６０８、もしくはステップＳ６１２で撮影して得られた動画データに係る動画ファイルのパラメータを追加する。追加の際には、撮影日時を参照して日付順にソートするものとする。
【００５３】
以上の処理を撮影回数分繰り返すことにより、ショートムービー撮影回数分の動画ファイル群を作成し、ショートムービー撮影によって作成した動画ファイル群のショートムービー動画一覧リストを作成する。
【００５４】
引き続き、ショートムービー撮影モードで１日の撮影回数分作成した動画ファイル群を結合する際の処理について、以下に説明する。
図７は、ショートムービー撮影モードで１日の撮影回数分作成した動画ファイル群を結合する処理手順の一例を示すフローチャートである。なお、図７に示す各処理は、中央制御部１０３の制御により行われる。
まず、ステップＳ７０１において、ＲＡＭ１０４で管理されているショートムービー動画一覧リストを確認する。その際に、ショートムービー動画一覧リスト内の結合処理状態を確認し、結合処理状態が「未」である動画ファイルが存在するか否かを判断する。この判断の結果、結合処理状態が「未」である動画ファイルが存在する場合はステップＳ７０２に進む。結合処理状態が「未」である動画ファイルが存在しない場合はそのまま処理を終了する。
【００５５】
ステップＳ７０２において、結合処理状態が「未」である動画ファイルをすべて記録メディア１０６から抽出する。そして、ステップＳ７０３において、ステップＳ７０２で抽出した動画ファイルの中に、前日以前の撮影により得られた動画ファイルが存在するか否かを判断する。この判断の際には、ショートムービー動画一覧リスト内の動画ファイルの撮影日時を参照する。また、前日以前とは、デジタルカメラ１００を起動した日の前の日を含むそれ以前の日を指すものとする。この判断の結果、前日以前の撮影により得られた動画ファイルが存在する場合はステップＳ７０４に進む。存在しない場合はそのまま処理を終了する。
【００５６】
ステップＳ７０４においては、前日以前の撮影により得られた動画ファイルを抽出する。そして、ステップＳ７０５において、抽出した動画ファイル群を結合し、結合動画ファイルを作成する。その後、ステップＳ７０６に進む。
【００５７】
次に、ステップＳ７０６において、ステップＳ７０５で作成した結合動画ファイルを記録メディア１０６に保存する。具体的には、図２に示す無線ＬＡＮ機能付きの記録メディア７０のメモリ回路部７９に保存される。そして、ステップＳ７０７において、ステップＳ７０５で結合した動画ファイルに対して、ショートムービー動画一覧リスト内の結合処理状態を「済」に変更する。
【００５８】
以上のように結合後の結合動画ファイルは、転送禁止フラグを設定せずに記録メディア１０６に保存されるため、ユーザの所望する転送先に転送することができる。なお、本実施形態では、ショートムービー撮影で撮影回数分作成した動画ファイル群を結合するタイミングを翌日以降のデジタルカメラ１００の起動時としたが、これに限定されない。例えば、撮影日の翌日に日付が変わったタイミングでデジタルカメラ１００を起動させて動画ファイル群を結合する方法や、デジタルカメラの設定において、手動で動画ファイルを選択して結合する方法などであってもよい。
【００５９】
図８（ａ）に示すショートムービー動画一覧リストの例では、３月１日の撮影により得られた動画ファイルのパラメータがすでにショートムービー動画一覧リストに格納されており、４月１日の撮影により得られた動画ファイルのパラメータが追加されている。図７に示したように、デジタルカメラ１００の起動時に、前日以前の結合処理状態が「未」である動画ファイルが存在すれば結合し、結合処理状態を「済」に変更する。このため、撮影日時が３月１日の動画ファイルはすべて「済」に設定されている。このように、３月１日の動画ファイルのパラメータが格納されているショートムービー動画一覧リストに、４月１日の動画ファイルの結合処理状態を「未」に設定して追加する。
【００６０】
また、同日にさらにショートムービー撮影を繰り返し、図８（ａ）に示すショートムービー動画一覧リストに動画ファイルのパラメータを追加した際のショートムービー動画一覧リストを図８（ｂ）に示す。このように撮影によって作成した動画ファイルのパラメータを、結合処理状態を「未」に設定して追加する。
【００６１】
図８（ｃ）は、４月２日以降に初めてデジタルカメラ１００を起動した際に、図５のステップＳ７０７の処理を行った後のショートムービー動画一覧リストを示す図である。４月１日の動画ファイルすべての結合処理状態が「済」に変更される。
【００６２】
以上のように本実施形態によれば、ショートムービー撮影で撮影回数分作成した動画ファイル群は、転送禁止フラグがＯＮに設定されているため、無線ＬＡＮ機能付き記録メディアに保存されて通信設定が有効になっても転送されない。一方、撮影回数分作成した動画ファイル群を結合して作成した結合動画ファイルは転送禁止フラグが設定されていないため、無線ＬＡＮ機能付き記録メディアに保存されて通信設定が有効になると、結合動画ファイルは転送される。
【００６３】
（第３の実施形態）
本実施形態では、デジタルカメラにおいて、被写体の顔を認識する機能（以下、顔認識機能と呼ぶ）を利用する例について説明する。なお、本実施形態に係るデジタルカメラ、及び無線ＬＡＮ機能付き記録メディアの構成については、それぞれ図１、図２と同様であるため、説明は省略する。また、通常撮影モードの処理手順についても図３と同様であるため、説明を省略する。
【００６４】
通常撮影モードでは、操作部１０８の第２シャッタスイッチの入力により、中央制御部１０３は、撮像に関わる一連の動作、すなわち、露光処理、現像処理、記録処理を実行する。一方、顔認識機能を用いる場合には、さらに、撮影画像の被写体認識処理や、被写体認識結果と管理データとの照合処理や、本実施形態で必要な各種処理を実行する。被写体認識処理とは、画像データの領域から被写体の領域を特定する処理であり、顔認識機能では、被写体領域とは被写体の顔の領域のことである。
【００６５】
本実施形態に係るデジタルカメラ１００は、管理データを登録する際に、撮影時に認識した顔データを管理データとしてフラッシュメモリ１０５に記録する。管理データの登録方法としては、ユーザがデジタルカメラ１００の操作部１０８を操作して登録する顔データを切り出した上で行われる。なお、本実施形態では何らかの方法で管理データがデジタルカメラ１００に登録されているものとし、その登録手法については限定されない。
【００６６】
＜ユーザによる設定項目＞
まず、被写体の顔認識機能を使用して画像ファイルの転送制御を行うために、ユーザにより撮影前に予め設定すべき項目について、以下に説明する。
【００６７】
図９は、デジタルカメラ１００の表示部１０７に表示される設定項目の一例を示す図である。デジタルカメラ１００は、画像形式やホワイトバランス、画像データの再生方法等の画像撮影機能や画像再生機能に関連する複数の設定項目を備え、これらの設定項目は、フラッシュメモリ１０５に記録される。ユーザの操作に応じて、デジタルカメラ１００は各種の設定項目を表示部１０７のＬＣＤに表示し、ユーザによる操作部１０８の操作を通して設定内容が変更される。
【００６８】
図９に示すように、表示部１０７のＬＣＤに、設定項目の１つとして顔認識機能の管理データで管理された顔データごとに被写体として認識した画像ファイルの転送の制御を設定するための画面９００が表示される。ユーザは、デジタルカメラ１００の操作部１０８を操作し、それぞれの顔データを被写体として認識した画像ファイルについて、無線ＬＡＮ機能付きの記録メディアの機能にて転送するかしないかを設定することできる。ユーザが設定した顔データごとの転送制御の設定は、顔認識機能の管理データに合わせてフラッシュメモリ１０５に記録される。
【００６９】
＜顔認識機能を利用したデジタルカメラでの処理＞
次に、無線ＬＡＮ機能付きの記録メディアが装着されている場合に、顔認識撮影モードでデジタルカメラ１００において行われる処理について説明する。
【００７０】
図１０は、顔認識撮影モードにおけるデジタルカメラ１００の処理手順の一例を示すフローチャートである。なお、図１０に示す各処理は、中央制御部１０３の制御により行われる。
まず、ユーザの操作により操作部１０８のモード切替スイッチが顔認識撮影モードに切り替えられることによって処理を開始する。そして、ステップＳ１００１において、中央制御部１０３の制御により顔認識撮影モードに遷移する。その後、ステップＳ１００２に進む。ステップＳ１００２からステップＳ１００７までの処理は、それぞれ図４のステップＳ４０３からステップＳ４０７までの処理と同様である。
【００７１】
次に、ステップＳ１００８において、顔認識処理を含めた通常撮影を行う。具体的には、操作部１０８のシャッタボタンが全押し状態となることにより、中央制御部１０３で撮影に関わる露光処理、現像処理を行って画像データを取得する。このとき、中央制御部１０３で撮像に関わる一連の動作を行うとともに、顔認識機能として、さらに、画像データの被写体認識処理を行い、被写体認識結果と顔データとをＲＡＭ１０４に記録する。その後、ステップＳ１００９に進む。
【００７２】
次に、ステップＳ１００９において、ステップＳ１００８で実施した撮影によって取得した画像データに撮影情報などの付加情報を付加して、記録メディア１０６に画像ファイルとして保存する。その後、ステップＳ１０１０に進む。
【００７３】
次に、ステップＳ１０１０において、ステップＳ１００８でＲＡＭ１０４に記録した被写体認識結果から、被写体を認識したか否かを判断する。この判断の結果、被写体を認識した場合はステップＳ１０１１に進み、そうでない場合はステップＳ１０１４に進む。
【００７４】
ステップＳ１０１１においては、ステップＳ１００８でＲＡＭ１０４に記録した被写体認識した顔データと、フラッシュメモリ１０５に記録されている管理データの顔データとを照合する。そして、ステップＳ１０１２において、ステップＳ１０１１の照合の結果、認識した顔データが図９に示した画面９００から予め転送しないと設定された顔データであるか否かを判断する。この判断の結果、転送しないと設定された顔データであった場合はステップＳ１０１３に進み、そうでない場合はステップＳ１０１４に進む。
【００７５】
ステップＳ１０１３においては、記録メディア１０６に保存した画像ファイルに転送禁止フラグをＯＮに設定する。そして、ステップＳ１０１４において、中央制御部１０３は、記録メディア１０６に対して、通信設定の有効を指示する。これに伴い、指示を受けた無線ＬＡＮ機能付きの記録メディア１０６は、通信機能を有効にする機能制御処理を行う。これによって、記録メディア１０６に保存されている画像ファイル、動画ファイル等の転送が可能となる。なお、ステップＳ１０１５及びＳ１０１６はそれぞれ、ステップＳ１００８及びＳ１００９と同様である。
【００７６】
以上の処理により、ユーザの操作により予め転送しないと設定された顔データが検出された画像ファイルに転送禁止フラグをＯＮに設定し、画像ファイルが転送されないように制御することができる。
【００７７】
＜複数人認識した場合の処理＞
続いて、顔認識処理の際に被写体として複数人の顔データを認識した場合のデジタルカメラ１００において行われる処理について説明する。
【００７８】
図１１は、顔認識撮影モードで複数人の顔データを認識した場合のデジタルカメラ１００の処理手順の一例を示すフローチャートである。なお、図１１に示す各処理は、中央制御部１０３の制御により行われる。また、ステップＳ１１０１〜ステップＳ１１１０の処理は、図１０のステップＳ１００１〜ステップＳ１０１０の処理と同様であるため、説明は省略する。
【００７９】
ステップＳ１１１１においては、ステップＳ１１０８の撮影により顔認識機能で検出した顔データの数だけ、以下に説明するステップＳ１１１２〜ステップＳ１１１５の処理を繰り返す。
【００８０】
まず、ステップＳ１１１２において、ステップＳ１１０８でＲＡＭ１０４に記録した被写体認識した顔データと、フラッシュメモリ１０５に記録されている管理データの顔データとを照合する。そして、ステップＳ１１１３において、ステップＳ１１１２の照合の結果、認識した顔データが図９に示した画面９００から予め転送しないと設定された顔データであるか否かを判断する。この判断の結果、転送しないと設定された顔データである場合はステップＳ１１１４に進み、そうでない場合はステップＳ１１１５に進む。
【００８１】
ステップＳ１１１４においては、転送不可人物としてカウントし、ステップＳ１１１５においては、転送可能人物としてカウントする。以上のようにステップＳ１１１２〜ステップＳ１１１５の処理を繰り返すことにより、ステップＳ１１０８の撮影により顔認識機能で検出したすべての顔データを、転送不可人物、もしくは転送可能人物のいずれかに振り分けることができる。
【００８２】
次に、ステップＳ１１１６において、転送不可人物、および転送可能人物のカウントを確認する。この確認の結果、転送可能人物が０でありかつ転送不可人物１以上の場合、つまり検出した顔データがすべて転送不可である場合には、ステップＳ１１２０に進む。一方、転送可能人物が１以上でありかつ転送不可人物が０の場合、つまり検出した顔データがすべて転送可能である場合には、ステップＳ１１２１に進む。また、転送可能人物、転送不可人物のいずれも０でない場合、つまり検出した顔データが転送不可の人物と転送可能の人物とが混在している場合には、ステップＳ１１１７に進む。
【００８３】
ステップＳ１１１７においては、撮影して得られた画像ファイルを転送するかしないかをユーザにより設定可能な画面を表示部１０７のＬＣＤに表示する。そして、ステップＳ１１１８において、ユーザから操作部１０８による設定入力があるまで待機する。そして、操作部１０８から設定入力を受けると、ステップＳ１１１９において、入力された設定が転送不可であるか否かを判断する。この判断の結果、転送不可の設定入力である場合はステップＳ１１２０へ進み、転送可能の設定入力である場合は、ステップＳ１１２１へ進む。なお、ステップＳ１１２０〜ステップＳ１１２３の処理はそれぞれ、図１０のステップＳ１０１３〜ステップＳ１０１６と同様である。
【００８４】
以上の処理により、撮影時に複数人の顔データが検出された場合においても、検出した顔データがすべて転送不可に設定されている場合には画像ファイルに転送禁止フラグをＯＮに設定し、画像ファイルが転送されないように制御することができる。また、検出した顔データに転送不可に設定された人物と転送可能に設定された人物とが混在している場合には、ユーザの判断に基づいて転送禁止フラグをＯＮに設定することができ、画像ファイルの転送制御を行うことができる。
【００８５】
以上のように本実施形態によれば、ユーザによる設定に基づいて転送禁止フラグを設定することにより、無線ＬＡＮ機能付きの記録メディアが挿入されたデジタルカメラで撮影した場合において、顔認識機能を利用して効率良く画像を転送することができる。
【００８６】
（第４の実施形態）
本実施形態では、無線ＬＡＮ機能付きの記録メディアが装着されている時にパノラマ撮影モードで行われる処理について説明する。なお、本実施形態に係るデジタルカメラ、及び無線ＬＡＮ機能付き記録メディアの構成については、それぞれ図１、図２と同様であるため、説明は省略する。また、通常撮影モードの処理手順についても図３と同様であるため、説明を省略する。
【００８７】
図１２は、パノラマ撮影モードにおけるデジタルカメラ１００の処理手順の一例を示すフローチャートである。なお、図１２に示す各処理は、中央制御部１０３の制御により行われる。
まず、ユーザの操作により操作部１０８のモード切替スイッチがパノラマ撮影モードに切り替えられることによって処理を開始する。そして、ステップＳ１２０１において、中央制御部１０３の制御によりパノラマ撮影モードに遷移する。次に、ステップＳ１２０２において、表示部１０７に後述するパノラマ撮影モード用のＵＩを表示する。ステップＳ１２０３からステップＳ１２０８までの処理は、それぞれ図４のステップＳ４０２からステップＳ４０７までの処理と同様である。
【００８８】
次に、ステップＳ１２０９において、一連のパノラマ撮影を行う。この処理の詳細については後述する。一連のパノラマ撮影が完了すると、ステップＳ１２１０において、中央制御部１０３は、記録メディア１０６に対して、通信設定の有効を指示する。これに伴い、指示を受けた無線ＬＡＮ機能付きの記録メディア１０６は、通信機能を有効にする機能制御処理を行う。これによって、無線ＬＡＮ機能付きの記録メディア１０６に保存されている画像ファイル、動画ファイル等の転送が可能となる。なお、ステップＳ１２１１の処理については、ステップＳ１２０９と同様であり、詳細は後述ずる。
【００８９】
図１３は、図１２のステップＳ１２０９及びＳ１０１１の詳細な処理手順の一例を示すフローチャートである。
まず、ステップＳ１３０１において、パノラマ撮影において何枚目の画像かを表すカウンターＮを１に設定する。カウンターＮはＲＡＭ１０４内に一時的に記憶される。
【００９０】
次に、操作部１０８により入力されるスイッチ、キーの種類により処理が分岐することとなる。まず、ステップＳ１３０２において、操作部１０８のシャッタボタンが全押し状態となることにより第２シャッタスイッチがＯＮに入力されたか否かを判断する。この判断の結果、第２シャッタスイッチがＯＮに入力された場合は、ステップＳ１３０３に進み、そうでない場合はステップＳ１３０６に進む。
【００９１】
次に、ステップＳ１３０６において、操作部１０８のやり直しキーが操作されたことを入力したか否かを判断する。本実施形態では、やり直しキーは図示しない十字キーの左ボタンに相当するものとする。この判断の結果、やり直しキーが操作されたことを入力した場合はステップＳ１３０７に進み、そうでない場合はステップＳ１３１０に進む。
【００９２】
次に、ステップＳ１３１０において、操作部１０８の終了キーが操作されたことを入力したか否かを判断する。本実施形態では、終了キーは図示しないセットボタンに相当するものとする。この判断の結果、終了キーが操作されたことを入力した場合は処理を終了し、そうでない場合はステップＳ１３０２に戻る。
【００９３】
ステップＳ１３０３においては、中央制御部１０３で撮影に関わる露光処理、現像処理を行って画像データを取得する。そして、Ｊｐｅｇ形式に圧縮して撮影情報などの付加情報とともに記録処理により記録メディア１０６に画像ファイルとして保存する。また、記録メディア１０６が無線ＬＡＮ機能付きの場合には、転送禁止フラグをＯＦＦに設定する。その後、ステップＳ１３０４において、カウンターＮを一つ加算し、ステップＳ１３０５において、Ｎ枚目の撮影用の画面を表示部１０７に表示する。
【００９４】
一方、撮影をやり直す場合の処理としては、まず、ステップＳ１３０７において、カウンターＮの値が２以上か否かを判断する。この判断の結果、カウンターＮの値が２以上である場合は、ステップＳ１３０８において、直前に撮影したＮ枚目の画像を削除する。その後、ステップＳ１３０９において、カウンターＮの値を一つ戻す。一方、ステップＳ１３０７の判断の結果、カウンターＮの値が１である場合は、ステップＳ１３０２に戻る。
【００９５】
図１４は、パノラマ撮影モードで表示部１０７に表示される画面の一例を示す図であり、風景などの被写体を左から右に順番に撮影する例を示している。
図１４（ａ）に示す画面１４００は、パノラマ撮影モードに遷移した直後の状態を示している。左画像表示領域１４０１には、ビューファインダーとしての画像が表示されている。この画面１４００は、図１２のステップＳ１２０２により表示される画面である。
【００９６】
この状態で、第２シャッタスイッチがＯＮされて一枚目の撮影がなされると、図１４（ｂ）に示す画面１４１０が表示される。画面１４１０の左表示領域１４１１には、一枚目に撮影した画像の一部が表示され、右表示領域１４１２には、ビューファインダーとしての画像が表示される。ステップＳ１３０５では、図１４（ｂ）に示すように、左表示領域１４１１に表示されている画像の右側の一部が右表示領域１４１２に表示されているビューファインダー画像で覆いかぶされて表示される。これにより、パノラマ撮影で二枚目の画像を撮影する場合に、後の合成処理においてずれが少なく、処理しやいようなフレーミングが可能となっている。３枚目以降の撮影でも１つ前に撮影した画像が左表示領域１４１１に表示され、右表示領域１４１２にはビューファインダー画像が表示され、同様に撮影することが可能になっている。
【００９７】
以上のように本実施形態によれば、パノラマ撮影モードによって得られた画像ファイルのうち、失敗したものについては無線ＬＡＮ機能付き記録メディア１０６により転送される前に削除される。一方、パノラマ撮影モードによって撮影した所望の画像ファイル群は、通信設定が有効になると、転送されるようにすることができる。
【００９８】
一方、パノラマ撮影モードにおいて、撮影をやり直す場合でも記録メディアには画像ファイルを念のため残しておきたいが、通信時間や通信コストを削減したい場合もある。以下、このような場合に撮影に失敗した画像ファイルを転送しないようにする例について説明する。
【００９９】
図１５は、図１２のステップＳ１２０９及びＳ１０１１の詳細な処理手順の他の一例を示すフローチャートである。なお、図１５において、ステップＳ１５０１からステップＳ１５０７、ステップＳ１５０９及びステップＳ１５１０はそれぞれ、図１３のステップＳ１３０１からステップＳ１３０７、ステップＳ１３０９及びステップＳ１３１０と同様であるため説明は省略する。
図１５のステップＳ１５０８においては、記録メディア１０６が無線ＬＡＮ機能付きの場合には、転送禁止フラグをＯＮに設定する。
【０１００】
以上のように、パノラマ撮影モードによって得られた画像ファイルのうち、所望の画像ファイル群は、通信設定が有効になると転送される。ただし、撮影をやり直す画像については、記録メディア１０６の通信設定が有効になっても転送されずに記録メディア１０６内に残すようにすることができる。
【０１０１】
（その他の実施形態）
以上、本発明の好ましい実施形態について説明したが、本発明はこれらの実施形態に限定されず、その要旨の範囲内で種々の変形及び変更が可能である。
【０１０２】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１０３】
１０１  光学系
１０２  撮像素子
１０３  中央制御部
１０４  ＲＡＭ
１０５  フラッシュメモリ
１０６  記録メディア
１０７  表示部
１０８  操作部
１０９  通信部
【図１】
2014158082.tif 000003
【図２】
2014158082.tif 000004
【図３】
2014158082.tif 000005
【図４】
2014158082.tif 000006
【図５】
2014158082.tif 000007
【図６】
2014158082.tif 000008
【図７】
2014158082.tif 000009
【図８】
2014158082.tif 000010
【図９】
2014158082.tif 000011
【図１０】
2014158082.tif 000012
【図１１】
2014158082.tif 000013
【図１２】
2014158082.tif 000014
【図１３】
2014158082.tif 000015
【図１４】
2014158082.tif 000016
【図１５】
2014158082.tif 000017